(57)【要約】【課題】ハウジングに貫設された穴からの光の漏れが少なく、照明品質が高い照明装置を提供する。【解決手段】光源体２１と、棒状をなし、一端面が光源体２１の光を入射する入射面とされ、他端面が入射対向面とされ、側面の一部が導光体３０の長さ方向に延びる出射部とされ、出射部以外の側面の部位に、凹状反射面２９が、導光体３０の長さ方向に相互間隔をおいて複数形成された導光体３０と、導光体３０の出射部以外の側面の部位を覆う壁部からなる断面コ字状をなすリフレクタ５０を含み、リフレクタ５０の開口は出射部から出射する光の照射口４１とされたハウジング４０とを備え、リフレクタ５０の壁部には穴４５が貫設され、穴４５は導光体３０の隣接する凹状反射面２９と凹状反射面２９との間に位置するように配された照明装置。【選択図】図３
2014071978.tif 000002
【特許請求の範囲】
【請求項１】
光源体（２１）と、
棒状をなし、一端面が光源体（２１）の光を入射する入射面（３７）とされ、他端面が入射対向面（３９）とされ、側面の一部が導光体（３０、６１）の長さ方向に延びる出射部（３１）とされ、出射部（３１）以外の側面の部位に、導光体（３０、６１）の内部を反射する光の一部を出射部（３１）に向けて反射する凹状反射面（２９）が、導光体（３０、６１）の長さ方向に相互間隔をおいて複数形成された、透明樹脂よりなる導光体（３０、６１）と、
導光体（３０、６１）の出射部（３１）以外の側面の部位を覆う壁部（４４）からなる断面コ字状をなす樹脂よりなるリフレクタ（５０）を含み、リフレクタ（５０）の開口は出射部（３１）から出射する光の照射口（４１）とされたハウジング（４０）とを備え、
リフレクタ（５０）の壁部（４４）には穴（４５、７２、７７）が貫設され、穴（４５、７２、７７）は導光体（３０、６１）の隣接する凹状反射面（２９）と凹状反射面（２９）との間に位置するように配された照明装置。
【請求項２】
導光体（３０、６１）は、照射口（４１）が開口しているハウジング（４０）の部位より入射面（３７）側の端が突出しており、
ハウジング（４０）は、照射口（４１）より入射面（３７）側に位置する導光体（３０、６１）の部位から出射されて照射口（４１）へ向く光を遮光する入射面側遮光壁（４８）が照射口（４１）より導光体（３０、６１）の入射面（３７）側に形成されている請求項１記載の照明装置。
【請求項３】
出射部（３１）のうち、入射面側遮光壁（４８）と照射口（４１）との境界から照射口（４１）へ向かって少なくとも２ｍｍの範囲を含み且つ最長でも１０ｍｍを超えない範囲に光散乱部（３４）が設けられている請求項２記載の照明装置。
【請求項４】
リフレクタ（５０）は、導光体（３０、６１）の入射対向面（３９）から出射されリフレクタ（５０）で反射されて照射口（４１）へ向く光を遮光する入射対向面側遮光壁（４９）がリフレクタ（５０）の入射対向面（３９）側の端部に形成されている請求項１〜３のいずれか一項に記載の照明装置。
【請求項５】
導光体（３０、６１）は、リフレクタ（５０）で反射されて入射対向面（３９）へ向く光を散乱させる光散乱部が入射対向面（３９）に形成されている請求項１〜４のいずれか一項に記載の照明装置。
【請求項６】
導光体（３０、６１）は、光源体（２１）からの光が入射面（３７）で出射部（３１）方向に屈折するよう、入射面（３７）が光源体（２１）の光軸に直交する面に対して３〜７°傾斜して形成されている請求項１〜５のいずれか一項に記載の照明装置。
【請求項７】
導光体（３０、６１）は、入射面（３７）の周囲が面取り（３７ｂ）されている請求項１〜６のいずれか一項に記載の照明装置。
【請求項８】
凹状反射面（２９）は、導光体（３０、６１）の長さ方向と直交する方向に延びる溝状凹部（３３）の内面であり、
導光体（３０、６１）は、凹状反射面（２９）が形成されている側の入射対向面（３９）側の端部に導光体（３０、６１）の向きを視認できて向きを間違えて組付けるのを防止するための凹部（３８）を有する請求項１〜７のいずれか一項に記載の照明装置。
【発明の詳細な説明】
【技術分野】
【０００１】
本発明は、導光体とハウジングとを用いた照明装置に関するものである。
【背景技術】
【０００２】
近年、自動車の車内照明の光源にＬＥＤ（発光ダイオード）を用いる機会が増えてきている。光源にＬＥＤを用いた車内照明装置の中には、長尺（棒状）な導光体を用いることで線状に照らすようにしたものが提案されている（特許文献１〜４）。
【０００３】
このような照明装置に用いられる導光体は、特許文献５に記載のように、一側面に、入射した光を別の側面方向に反射散乱する凹状反射面を有するＶ字状の溝等を複数個、導光体の長さ方向に間隔をあけて列状に配置することで、一つの側面（出射面）から光を出射するようになっている。
また、図１３に示すように、このような照明装置９０は、車両・パネルへの固定や光漏れ防止等のため、導光体９１を覆う壁部９４が断面コ字状に形成され、導光体９１の長さ方向に沿うように開口した照射口９３を有するハウジング９２内に導光体９１が収容・固定されて使用されている。
【０００４】
ところで、ハウジングは、導光体の固定や軽量化等様々な目的のために穴が壁部に貫設されている。例えば、図１３に示すように、ハウジング９２の壁部９４には導光体９１を係止するための凸条のつめ（リブ）９５が内面に形成される場合がある。このような場合には、リブ９５がアンダーカットになっており、ハウジング９２を型抜きするための抜き穴９６がハウジング９２の壁部９４に貫設されている。
【先行技術文献】
【特許文献】
【０００５】
【特許文献１】特開２００９−２６９４９２号公報
【特許文献２】特開２０１１−２４０８１１号公報
【特許文献３】特許第４３５３１４２号公報
【特許文献４】特許第４４４８７４４号公報
【特許文献５】特許第４４６３２４６号公報
【発明の概要】
【発明が解決しようとする課題】
【０００６】
しかし、導光体９１に形成されたＶ字状の溝等の凹部９７の凹状反射面と、ハウジング９２に形成された抜き穴９６とが重なってしまうと、図１４に示すように、凹部９７の凹状反射面を透過した光ｉ１が、抜き穴９６から直接ハウジング９２の外部に出てしまう（漏れてしまう）ことから、照明品質の低下（特に光ロス）を招いていた。
また、照明装置９０を車内照明に用いた場合には、長年の使用により、抜き穴９６から埃等が入り込み凹状反射面の凹部９７に積もってしまう。これにより凹状反射面の反射率が低下することで、照明品質の低下（特に光ロス）の一因となる恐れもある。
また、照射口の長さ方向の両端付近は、ハウジング内での反射光等が影響して光量が多くなっており、照明ムラが生じていた。例えば、照射口９３の光源体９９側の端付近は、図１５に示すように、照射口９３より光源体９９側に位置する導光体９１の部位からの光ｉ３により光量が多くなっており、照射口９３の光源体９９とは反対側の端付近は、図１６に示すように、導光体９１の端面９８からの光ｉ５がハウジング９２で反射することで光量が多くなっている。
【０００７】
そこで、本発明は、ハウジングに貫設された穴からの光の漏れが少なく、照明品質が高い照明装置を提供することを目的とする。
【課題を解決するための手段】
【０００８】
上記課題を解決するために、本発明の照明装置は、光源体と、棒状をなし、一端面が光源体の光を入射する入射面とされ、他端面が入射対向面とされ、側面の一部が導光体の長さ方向に延びる出射部とされ、出射部以外の側面の部位に、導光体の内部を反射する光の一部を出射部に向けて反射する凹状反射面が、導光体の長さ方向に相互間隔をおいて複数形成された、透明樹脂よりなる導光体と、導光体の出射部以外の側面の部位を覆う壁部からなる断面コ字状をなす樹脂よりなるリフレクタを含み、リフレクタの開口は出射部から出射する光の照射口とされたハウジングとを備え、リフレクタの壁部には穴が貫設され、穴は導光体の隣接する凹状反射面と凹状反射面との間に位置するように配されたものである。
【０００９】
本発明における各要素の態様を以下に例示する。
【００１０】
［ハウジング］
ハウジングは、特に限定されないが、照射口が開口しているハウジングの部位より導光体の入射面側の端が突出している場合には、照射口より入射面側に位置する導光体の部位から出射されて照射口へ向く光を遮光する入射面側遮光壁が照射口より導光体の入射面側に形成されていることが好ましい。これは、照射口より入射面側に位置する導光体の部位から出射されて照射口へ向く光を遮光することで、照射口の入射面側の端付近の光量が多くなることを抑制できて、照明ムラを小さくできるからである。
【００１１】
また、リフレクタは、導光体の入射対向面から出射されリフレクタで反射されて照射口へ向く光を遮光する入射対向面側遮光壁がリフレクタの入射対向面側の端部に形成されていることが好ましい。これは、入射対向面から出射されリフレクタで反射されて照射口へ向く光を遮光することで、照射口の入射対向面側の端付近の光量が多くなることを抑制できて、照明ムラを小さくできるからである。
【００１２】
壁部に貫設される穴の態様は、特に限定されないが、壁部の内面にリフレクタに収容された導光体を係止するための係止突起が形成されている場合にリフレクタの樹脂成形時に係止突部がアンダーカットになっても型抜きできるようにするための抜き穴、リフレクタを肉抜きして軽量化するための抜き穴、リフレクタを固定するネジ等の固定手段を嵌挿するためのネジ穴、ハウジングに被係合物を固定又は位置決めするために嵌入する嵌入穴等を例示できる。
【００１３】
［導光体］
導光体の形態は、特に限定されないが、四角棒状、丸棒状、三角棒状、断面台形の棒状等を例示できる。
【００１４】
凹状反射面の態様は、特に限定されないが、導光体の長さ方向と直交する方向に延びる溝状凹部の内面や、導光体の内部に向かって形成された錐体状又は錐台状等の凹部の内面等を例示できる。
【００１５】
導光体は、特に限定されないが、リフレクタで反射されて入射対向面へ向く光を散乱させる光散乱部が入射対向面に形成されていることが好ましい。これは、リフレクタで反射されて入射対向面に再入射される（戻る）光を散乱させ、輝線等の急激な照度差を抑制して、全体としての照明ムラを小さくできるからである。
【００１６】
また、ハウジングに入射面側遮光壁が形成されている場合には、導光体は、出射部のうち、入射面側遮光壁と照射口との境界から照射口へ向かって少なくとも２ｍｍの範囲を含み、且つ最長でも１０ｍｍを超えない範囲に光散乱部が設けられていることが好ましい。これは、この範囲の出射部からの光を散乱させることで、照明装置で照らされる受光面に生じる明暗の境界を暈すことができるからである。また、入射面側遮光壁と照射口との境界からの長さが２ｍｍ未満では受光面に生じる明暗の境界を暈す効果が弱くなり、この長さが１０ｍｍを超えると光が散乱される範囲が大きくなって、照明品質が低下するおそれがあるからである。
【００１７】
また、ハウジングに入射対向面側遮光壁が形成されている場合には、導光体は、出射部のうち、入射対向面側遮光壁と照射口との境界から照射口へ向かって少なくとも２ｍｍの範囲を含み、且つ最長でも１０ｍｍを超えない範囲に光散乱部が設けられていることが好ましい。これは、この範囲の出射部からの光を散乱させることで、照明装置で照らされる受光面に生じる明暗の境界を暈すことができるからである。また、入射対向面側遮光壁と照射口との境界からの長さが２ｍｍ未満では受光面に生じる明暗の境界を暈す効果が弱くなり、この長さが１０ｍｍを超えると光が散乱される範囲が大きくなって、照明品質が低下するおそれがあるからである。
【００１８】
光散乱部を設ける態様は、特に限定されないが、粗面化形状（例えば、シボ形状等）の形成や、光散乱フィルムの貼付等を例示できる。
【００１９】
また、導光体は、光源体からの光が入射面で出射部方向に屈折するよう、入射面が光源体の光軸に直交する面に対して３〜７°傾斜して形成されていることが好ましい。これは、光源体からの光を出射部方向に屈折させることで、入射対向面からの光が少なくなり、照射口の入射対向面側の端付近の光量が多くなることを抑制できて、照明ムラを小さくできると共に、効率的な照射を行うことができるからである。また、この角度が３°未満では、光源体からの光が入射面で曲げられる角度が小さいため、入射対向面からの光をあまり減らすことができない。一方、７°を超えると、光源体からの光が入射面で曲げられる角度が大きいため、出射部が全体的に暗くなる。
【００２０】
また、導光体は、入射面の周囲が面取り加工されていることが好ましい。これは、面取り加工することで、入射面の大きさを調整することができ、導光体へ入射される光量を制御できるからである。例えば、長さが異なる導光体に同じ光源を使用する際に、面取り加工により入射面の大きさを調整することで、両導光体の明るさを容易に制御（例えば同じに明るさにする）できる。そのため、光源を共通化して、導光体のみを変えることで、所望の照明態様を得ることが可能になり、部品の共通化による低コスト化が図れる。
【００２１】
また、凹状反射面が導光体の長さ方向と直交する方向に延びる溝状凹部の内面である場合には、導光体は、凹状反射面が形成されている側の入射対向面側の端部に導光体の向きを視認できて向きを間違えて組付けるのを防止するための凹部を有することが好ましい。これは、光学影響が少ないところに凹部を有することで、照明品質が低下することなく、導光体に方向性を持たせ、導光体の向きを視認することができ、導光体の向きを間違えて組立てることを防止できるからである。
【００２２】
［光源体］
光源体の光源としては、特に限定されないが、ＬＥＤ（発光ダイオード）、ＥＬ（エレクトロルミネセンス）、ＬＤ（レーザーダイオード）、白熱電球、ハロゲン電球、蛍光ランプ、放電ランプ等を例示でき、軽量且つコンパクトで、照射方向に指向性を有し、長寿命であることから、ＬＥＤが好ましい。
【００２３】
［照明装置］
照明装置は、車両の室内照明又は室外照明や、家屋の室内又は室外の照明に用いられる。
【発明の効果】
【００２４】
本発明によれば、ハウジングに貫設された穴からの光の漏れが少なく、照明品質が高い照明装置を提供することができる。
【図面の簡単な説明】
【００２５】
【図１】本発明の実施例１の照明装置を組み込んだインストルメントパネルの全体図である。
【図２】同照明装置を示し、（ａ）は照射口側から見た斜視図、（ｂ）は取着片側から見た斜視図である。
【図３】同照明装置を照射口に正対する方向から見た図である。
【図４】同照明装置の要部を拡大して示し、（ａ）は光源体と反対側の端付近の図、（ｂ）は抜き穴付近の図、（ｃ）は光源体付近の図、（ｄ）は光源体と反対側の端付近のＡ−Ａ断面図、（ｅ）は抜き穴付近のＢ−Ｂ端面図、（ｆ）は光源体付近のＣ−Ｃ端面図である。なお、（ｄ）、（ｅ）、（ｆ）は、約４５°回転させた図である。
【図５】同照明装置の要部を拡大して示し、（ａ）は光源体と反対側の端付近のＤ−Ｄ端面図、（ｂ）は抜き穴付近のＥ−Ｅ端面図、（ｃ）は光源体付近のＦ−Ｆ端面図である。
【図６】同照明装置の導光体の斜視図である。
【図７】同照明装置の抜き穴付近の凹状反射面における光の反射及び透過を示す図である。
【図８】同照明装置の導光体の入射面付近における光の入射及び出射を示す図である。
【図９】同照明装置の導光体の入射対向面付近における光の出射を示す図である。
【図１０】本発明の実施例２の照明装置を示し、（ａ）は同照明装置の導光体の入射対向面付近の斜視図、（ｂ）は同照明装置の導光体の入射対向面付近の断面図、（ｃ）は同照明装置の抜き穴付近の端面図、（ｄ）は壁部の形状を変えた同照明装置の抜き穴付近の端面図である。
【図１１】長さが異なる導光体を示す図である。
【図１２】（ａ）はネジ穴が貫設されたリフレクタの端面図、（ｂ）は嵌入穴が貫設されたリフレクタの端面図である。
【図１３】従来の照明装置を示し、（ａ）は照射口に正対する方向から見た図、（ｂ）は抜き穴付近を拡大した図、（ｃ）は抜き穴付近を照明装置の長さ方向と直交する方向に切断した端面図である。
【図１４】同照明装置の抜き穴付近の凹状反射面における光の透過を示す図である。
【図１５】同照明装置の導光体の光源体側の端付近における光の出射を示す図である。
【図１６】同照明装置の導光体の光源体と反対側の端付近における光の出射を示す図である。
【発明を実施するための形態】
【００２６】
本発明の照明装置の好適な実施形態は、光源体と、四角棒状をなし、一端面が光源体の光を入射する入射面とされ、他端面が入射対向面とされ、一側面が出射面とされ、出射面に対向する一側面が対向反射面とされ、残りの二側面が横反射面とされ、対向反射面に、導光体の内部を反射する光の一部を出射面に向けて反射する凹状反射面が、導光体の長さ方向に相互間隔をおいて複数形成された、透明樹脂よりなる導光体と、対向反射面を覆う対向壁部と二つの横反射面を覆う横壁部とからなる断面コ字状をなす樹脂よりなるリフレクタを含み、横壁部の内面にはリフレクタに収容された導光体を係止するための係止突部が形成され、リフレクタの開口は出射面から出射する光の照射口とされたハウジングとを備え、リフレクタの対向壁部又は横壁部には、リフレクタの樹脂成形時に係止突部がアンダーカットになっても型抜きできるようにするための抜き穴が貫設され、抜き穴は導光体の隣接する凹状反射面と凹状反射面との間に位置するように配されたものである。
【実施例１】
【００２７】
本発明の実施例１の照明装置２０は、図１に示すように、自動車のインストルメントパネル１０に組み込まれて使用される。具体的には、助手席（図示略）の前方に位置するグローブボックス１１の上方に形成されている段部１２の上方に取付けられて、段部１２の下方を照らす。また、グローブボックス１１が開けられた時には、グローブボックス１１内を照らす照明としても機能する。
【００２８】
照明装置２０は、図２〜９に示すように、光源としてＬＥＤ２２が内蔵された光源体２１と、光源体２１からの光が入射され、出射面３１から出射する導光体３０と、導光体３０を覆うリフレクタ５０を有するハウジング４０とを備えている。
【００２９】
光源体２１は、樹脂からなる略直方体状の筐体２３の内部にＬＥＤ２２が設けられており、ＬＥＤ２２の発光面と対峙する筐体２３の壁面には開口が設けられ、この開口の周囲には導光体３０の一端部を支持す取付壁２５が外部に向かって突設されている。
【００３０】
導光体３０は略無色透明なＰＭＭＡからなる略四角棒状である。導光体３０は、光源体２１側の一端面がＬＥＤ２２の光を入射する入射面３７であり、反対側の他端面が入射対向面３９である。導光体３０の四側面は、一側面が出射面３１であり、出射面３１に対向する一側面が対向反射面３２であり、残りの二側面が横反射面２８である。
【００３１】
入射面３７は、リフレクタ５０（後述する照射口４１が開口しているハウジング４０の部位）の端より光源体２１側に位置し、出射面３１側の端がＬＥＤ２２側に近付くようにして、ＬＥＤ２２の光軸に直交する面に対して５°傾斜するように形成されて、ＬＥＤ２２からの光が入射面３７で出射面３１方向に屈折するようになっている。また、入射面３７の出射面３１側の端と対向反射面３２側の端とには面取り３７ｂが施されている。
【００３２】
導光体３０は、入射対向面３９側の端部の対向反射面３２側を光学影響を与えないように切り欠いた、導光体３０の向きを視認できて向きを間違えて組付けるのを防止するための段部３８を有する。入射対向面３９及び段部３８の面３８ａには、なし地のシボ形状が形成されている。このシボ形状はリフレクタ５０で反射されて入射対向面３９又は段部３８の面３８ａへ向く光を散乱させるものである。なお、図において、なし地のシボ形状は破線のクロスハッチングで示されている。
【００３３】
出射面３１は、後述する入射面側遮光壁４８と照射口４１との境界から照射口４１へ向かって１０ｍｍまでの範囲と、後述する入射対向面側遮光壁４９と照射口４１との境界から照射口４１へ向かって１０ｍｍまでの範囲とに、なし地のシボ形状３４が形成されて、この範囲からの光を散乱させるようになっている。
【００３４】
対向反射面３２には複数（４０個）の溝状凹部３３か導光体３０の長さ方向に略等間隔で形成されている。溝状凹部３３は、導光体３０の中心に向かって狭くなる略Ｖ字状で、導光体３０の長さ方向と直交する方向に延びている。この略Ｖ字状で導光体３０の長さ方向と直交する方向に延びている面が凹状反射面２９である。凹状反射面２９は、凹状反射面２９で光を拡散させるため、なし地のシボ形状（シボの深さ：２〜１０μｍ）が形成されている。
【００３５】
導光体３０は、入射面３７側の端部に光源体２１を導光体３０に固定するための一対の嵌合用リブ３５及び一対の嵌合爪３６がそれぞれ対向配置されている。一対の嵌合用リブ３５は、それぞれ横反射面２８に突設され、入射面３７側の端が取付壁２５の先端に当接している。一対の嵌合爪３６は、出射面３１と対向反射面３２とに突設され、取付壁２５に係合している。また、取付壁２５に挿入するときに導光体３０の向きを合わせられるよう、出射面３１に突設されている嵌合爪３６は対向反射面３２に突設されている嵌合爪３６より入射面３７側に寄っている。
【００３６】
ハウジング４０は樹脂より成形されている。導光体３０を覆うリフレクタ５０と、光源体２１を収容すると共に、導光体３０の入射面３７側の端部を覆う光源収容部４６とを有する。
【００３７】
リフレクタ５０は、対向反射面３２を覆う対向壁部４４ｃと、二つの横反射面２８を覆う横壁部４４ｄとからなり、出射面３１側が開口した断面コ字状をなしている。この出射面３１側の開口が、出射面３１から出射される光が通過して照射面を照らす照射口４１である。
【００３８】
リフレクタ５０の外面には、照明装置２０をインストルメントパネル１０に取り付けるための取着片４７が形成されている。
【００３９】
横壁部４４ｄの内面には、リフレクタ５０に収容された導光体３０を係止するための複数（４個）の係止突起４３が突設されている。係止突起４３より対向壁部４４ｃ側の横壁部４４ｄ及び対向壁部４４ｃには、係止突起４３が設けられることでアンダーカットになっているハウジング４０を型抜きするための抜き穴４５が貫設されている。係止突起４３は、導光体３０の凹状反射面２９に抜き穴４５が重ならないよう、隣接する凹状反射面２９と凹状反射面２９との間に位置するように配されている。
【００４０】
照射口４１の入射面３７側の端まで延びている、光源収容部４６の一部である遮光体５１には、出射面３１方向へ延びる入射面側遮光壁４８が設けられている。遮光体５１は照射口４１より入射面３７側に位置する出射面３１の部位から直角に出射される出射光を遮蔽するものである。入射面側遮光壁４８は照射口４１より入射面３７側に位置する導光体３０の部位から出射されて照射口４１へ向く光を遮光するものである。また、入射対向面３９側の端の壁部４４ｆには、導光体３０の入射対向面３９側の端部を覆って出射面３１方向へ延びる入射対向面側遮光壁４９が設けられている。入射対向面側遮光壁４９は入射対向面３９から出射されリフレクタ５０で反射されて照射口４１へ向く光を遮光するものである。また、対向壁部４４ｃの入射対向面３９側の端付近の内面には、導光体３０の段部３８に当接する突起２７が設けられている。
【００４１】
本発明の実施例１の照明装置２０によれば、次に示す効果が得られる。
・抜き穴４５が凹状反射面２９に重ならないよう、抜き穴４５を隣接する凹状反射面２９と凹状反射面２９との間に位置するように配したことで、図７に示すように、凹状反射面２９を透過した光ｉ１が、壁部４４で遮光され、抜き穴４５を通って直接ハウジング４０の外部に出ないようになることから、光ロスが低減され、照明品質を高くできる。
・係止突起４３が凹状反射面２９に重ならないよう、係止突起４３を隣接する凹状反射面２９と凹状反射面２９との間に位置するように配したことで、図７に示すように、凹状反射面２９で反射された光ｉ２が係止突起４３で遮光されないようになることから、効率的な照射を行うことができる。
【００４２】
・ハウジング４０に入射面側遮光壁４８を設けたことで、図８に示すように、照射口４１より入射面３７側に位置する導光体３０の部位（特に、嵌合用リブ３５）から出射されて照射口４１へ向く光ｉ３と、光源体２１から漏れてくる光とを遮光することができ、照射口４１の入射面３７側の端付近の光量が多くなることを抑制して、照明ムラを小さくできる。
・ハウジング４０に入射対向面側遮光壁４９を設けたことで、図９に示すように、導光体３０の入射対向面３９等から出射しハウジング４０で反射して照射口４１へ向く光ｉ６を遮光することができ、照射口４１の入射対向面３９側の端付近の光量が多くなることを抑制して、照明ムラを小さくできる。
【００４３】
・導光体３０の入射対向面３９及び段部３８の面３８ａになし地のシボ形状を形成したことで、リフレクタで反射されて入射対向面３９等へ向く光及び、図９に示すように、導光体３０の入射対向面３９等から出射される光ｉ５を散乱させることができ、受光面に生じる明暗の境界を暈すことができる。
・導光体３０の入射面３７を、出射面３１側の端がＬＥＤ２２側に近付くようにして、ＬＥＤ２２の光軸に直交する面に対して５°傾斜するように形成したことで、図８に示すように、ＬＥＤ２２からの光ｉを入射面３７で出射面３１方向に屈折させることができ、導光体３０の入射対向面３９からの光を少なくできて、照射口４１の入射対向面３９側の端付近の光量が多くなることを抑制して、照明ムラを小さくできると共に、効率的な照射を行うことができる。
【００４４】
・入射面側遮光壁４８と照射口４１との境界から照射口４１へ向かって１０ｍｍまでの範囲と、入射対向面側遮光壁４９と照射口４１との境界から照射口４１へ向かって１０ｍｍまでの範囲との導光体３０の出射面３１に、なし地のシボ形状３４が形成されたことで、図８、９に示すように、この範囲からの光ｉ４を散乱させるこができ、受光面に生じる明暗の境界を暈すことができる。
【００４５】
・入射面３７の出射面３１側の端と対向反射面３２側の端とに面取り３７ｂが施されていることで、面取り３７ｂの調整によって入射面３７の大きさを変更でき、導光体３０へ入射される光量を制御できる。
【００４６】
・導光体３０の入射対向面３９側の端部の対向反射面３２側に段部３８を切り欠いたことで、照明品質が低下することなく、導光体３０に方向性を持たせ、導光体３０の向きを視認することができることから、導光体３０の向きを間違えて組立てることを防止できる。また、段部３８の幅が凹状反射面２９と同じであることから、それぞれの面での配向が相似になって、対向反射面３２側の端の照明品質が向上する。
【実施例２】
【００４７】
本発明の実施例２の照明装置６０は、図１０に示すように、丸棒状の導光体６１を使用した点が実施例１の照明装置２０と異なり、その他の点は照明装置２０と同じである。なお、図１０において、照明装置２０と同じ部位には、同じ符号を付している。
【００４８】
導光体６１は、凹状反射面２９が形成されている（溝状凹部３３が凹設されている）側面の部位（対向反射面）３２を対向壁部４４ｃに正対させてリフレクタ５０に収納され、出射面３１は照射口４１を向いている。また、入射対向面３９側の端部の対向反射面３２側を光学影響を与えないように切り欠いた段部３８を有する。入射対向面３９及び段部３８の面３８ａには、なし地のシボ形状が形成されている。なお、図において、なし地のシボ形状は破線のクロスハッチングで示されている。
【００４９】
本発明の実施例２の照明装置６０によれば、実施例１の照明装置２０で得られる効果と同じ効果を得ることができる。
【００５０】
なお、本発明は前記実施例に限定されるものではなく、発明の趣旨から逸脱しない範囲で、次のように適宜変更して具体化することもできる。
（１）図１１に示すように、長さが異なる導光体３０を使用する場合に、入射面３７に施されている面取り３７ｂによって入射面３７の大きさを調整して、ＬＥＤから入射される光量を導光体３０の長さに応じて変化させて、共通の光源体を使用するようにする。
【００５１】
（２）図１２の（ａ）に示すように、リフレクタ５０を固定するネジ７１を嵌挿するためのネジ穴７２を対向壁部４４ｃに貫設する。また、図１２の（ｂ）に示すように、リフレクタ５０に被係合物７６を嵌入して固定するための嵌入穴７７を対向壁部４４ｃに貫設する。
【符号の説明】
【００５２】
２０    照明装置
２１    光源体
２８    横反射面
２９    凹状反射面
３０    導光体
３１    出射面
３２    対向反射面
３３    溝状凹部
３４    シボ形状
３７    入射面
３７ｂ    面取り
３８    段部
３９    入射対向面
４０    ハウジング
４１    照射口
４３    係止突起
４４    壁部
４４ｃ    対向壁部
４４ｄ    横壁部
４５    抜き穴
４８    入射面側遮光壁
４９    入射対向面側遮光壁
５０    リフレクタ
６０    照明装置
６１    導光体
【図１】
2014071978.tif 000003
【図２】
2014071978.tif 000004
【図３】
2014071978.tif 000005
【図４】
2014071978.tif 000006
【図５】
2014071978.tif 000007
【図６】
2014071978.tif 000008
【図７】
2014071978.tif 000009
【図８】
2014071978.tif 000010
【図９】
2014071978.tif 000011
【図１０】
2014071978.tif 000012
【図１１】
2014071978.tif 000013
【図１２】
2014071978.tif 000014
【図１３】
2014071978.tif 000015
【図１４】
2014071978.tif 000016
【図１５】
2014071978.tif 000017
【図１６】
2014071978.tif 000018